(57)【要約】【課題】近年、玄関等で履物を揃えない児童が増えてきている。これは脱いだ履物を揃える習慣が身についていないためと考えられるが、児童を単に叱るだけでは履物を揃える習慣を身につけさせるのは難しい。【解決手段】履物を揃えたときに接合する両足用部の内側面の踵側に連結手段として面ファスナー１０を縫付け、この面ファスナー１０のオス部７とメス部９には互いに関連する図柄が配されたラベル１１、１３が縫付けられている。このラベル１１、１３によって児童に関心を持たせることにより、楽しみながら履物を揃える習慣を身につけさせる。また、面ファスナー１０のオス部７とメス部９の係合により、履物が揃えられた状態を保つことが可能であり、且つ容易に連結を解除できる。【選択図】        図１
2005066077.tif 000002
【特許請求の範囲】
【請求項１】
一足分の左足用部と右足用部とを揃えた状態で、前記左足用部と右足用部とを連結でき、且つ容易に連結を解除することができる連結手段を具備したことを特徴とする履物。
【請求項２】
請求項１に記載した履物において、連結手段は、左足用部側の接合部と右足用部側の接合部とが互いに接合して連結されるものであり、前記左足用部側の接合部と右足用部側の接合部には、互いに関連を有する図柄が配されていることを特徴とする履物。
【請求項３】
請求項１または２に記載した履物において、連結手段は面ファスナーであることを特徴とする履物。
【請求項４】
請求項１から３のいずれかに記載した履物の連結手段において、連結を解除するために必要な力は２００〜８００ｇｆであることを特徴とする履物。
【発明の詳細な説明】
【技術分野】
【０００１】
本発明は、履物の右足用部と左足用部とを互いに連結できる連結手段を具備する履物に関する。
【背景技術】
【０００２】
近年、玄関等で履物を揃えない児童が増えてきている。これは脱いだ履物を揃える習慣が身についていないためであるが、履物を揃える習慣は子供のころに身につけることができる。  
【発明の開示】
【発明が解決しようとする課題】
【０００３】
しかしながら、児童を単に叱るだけでは履物を揃える習慣を身につけさせるのは難しい。
また、病院や各種会合が行われる集会所の出入り口等で脱いだ履物が散乱してしまい、自分の履物を見つけることが容易でないことも少なくない。
【課題を解決するための手段】
【０００４】
本発明は上記課題を解決するためになされたものであり、請求項１の発明は、一足分の左足用部と右足用部とを揃えた状態で、前記左足用部と右足用部とを連結でき、且つ容易に連結を解除することができる連結手段を具備したことを特徴とする履物である。
【０００５】
請求項２の発明は、請求項１に記載した履物において、連結手段は、左足用部側の接合部と右足用部側の接合部とが互いに接合して連結されるものであり、前記左足用部側の接合部と右足用部側の接合部には、互いに関連を有する図柄が配されていることを特徴とする履物である。
【０００６】
請求項３の発明は、請求項１または２に記載した履物において、連結手段は面ファスナーであることを特徴とする履物である。
【０００７】
請求項４の発明は、請求項１から３のいずれかに記載した履物の連結手段において、連結を解除するために必要な力は２００〜８００ｇｆであることを特徴とする履物である。
【発明の効果】
【０００８】
本発明の履物は、履物の右足用部と左足用部を連結することにより、履物が揃えられた状態を保つことが可能であり、且つ容易に連結を解除できる。さらに、前記右足用部側の接合部と左足用部側の接合部には、互いに関連を有する図柄が配されており、児童に興味を持たせることができるため、楽しみながら履物を揃える習慣を身につけさせることができる。
また、履物が揃えられた状態を保つため、集会所や病院の出入り口等に脱がれている多くの履物の中から、自分の履物を容易に見つけ出すことができる。
【実施例１】
【０００９】
図１〜図３によって本発明の第１の実施例に係る履物としての子供用のスニーカー１を説明する。スニーカー１は右足用部３と左足用部５から構成されている。右足用部３の内側面の踵側と左足用部５の内側面の踵側には、連結手段としての面ファスナー１０のオス部７、メス部９がそれぞれ縫付けられている。面ファスナー１０のオス部７とメス部９はスニーカー１の右足用部３と左足用部５が揃えられると互いに接合する位置に備えられている。面ファスナー１０のオス部７とメス部９は巾２５ｍｍ、長さ４０ｍｍほどの楕円形である。
【００１０】
面ファスナー１０のオス部７、メス部９には、その中央を覆う位置にラベル１１、１３がそれぞれ縫付けられている。このラベル１１にはサッカーボールとサッカーボールを蹴る足の図柄が配されており、ラベル１３にはサッカーゴールの図柄が配されている。従って、オス部７とメス部９は、ラベル１１、１３によって覆われていない部分どうしが接合連結する。この面ファスナー１０を剥がすのに要する力は３００ｇｆほどである。
【００１１】
次に、スニーカー１の使用方法について説明する。
スニーカー１を玄関等で脱いだ後、図３に示すようにスニーカー１の両足用部３、５の履き口１５、１７に指を入れ、右足用部３の内側面側と左足用部５の内側面側が合わさるようにつまんで、右足用部３と左足用部５を揃える。これにより、両足用部３、５の内側面の踵側にある面ファスナー１０のオス部７とメス部９が互いに接合し係合して、右足用部３と左足用部５とが連結される。
【００１２】
ラベル１１に配された図柄と、ラベル１３に配された図柄は概念的に関連があるので、児童に興味を持たせることができ、楽しみながらスニーカー１の右足用部３と左足用部５とを揃えさせることができる。
【００１３】
スニーカー１の右足用部３と左足用部５の連結は面ファスナー１０によってなされている。この面ファスナー１０は前記したとおり、３００ｇｆ程度の力で係合を剥がすことができる。従って、面ファスナー１０によって連結されたスニーカー１を履く場合、右足用部３と左足用部５に足を入れて、一歩踏み出せば容易に連結が解除される。
【実施例２】
【００１４】
図４に本発明の第２の実施例に係る履物としてのサンダル２１を示す。
サンダル２１においてスニーカー１と同様の構成部分には同じ符号を引用する。
サンダル２１は右足用部３、左足用部５にそれぞれ厚みのあるソール２３、２５を有する。ソール２３、２５の内側面の踵側には、サンダル２１の右足用部３と左足用部５が揃えられると互いに接合する位置に凹部２４、２６が設けられている。この凹部２４、２６には連結手段としての面ファスナー１０のオス部７とメス部９がそれぞれ収納された状態で固定されている。
このとき、面ファスナー１０のオス部７とメス部９はソール２３、２５の表面より多少突出している。
【００１５】
サンダル２１を玄関等で脱いだ後、バンド２７、２９を内側からつまんで右足用部３と左足用部５を揃える。これにより両足用部３、５の内側面の踵側にある面ファスナー１０のオス部７とメス部９が接合し係合して、右足用部３と左足用部５とが連結される。
サンダル２１の右足用部３と左足用部５の連結は面ファスナー１０によってなされている。この面ファスナー１０は前記したとおり連結を解除するために必要な力は些少であるので、サンダル２１を履き、足を一歩踏み出せば容易に連結は解除される。したがって、連結を解除するにあたっての不都合はない。
【実施例３】
【００１６】
図５に本発明の第３の実施例に係る履物としてのサンダル３１を示す。
サンダル３１において、第1の実施例のスニーカー１、第２の実施例のサンダル２１と同様の構成部分には同じ符号を引用する。サンダル３１には前端縁の両端を円弧状に形成した外反母趾予防用のバンド３３、３５が備えられている。
サンダル３１の両足用部３、５のバンド３３、３５の内側面側には、サンダル３１の右足用部３と左足用部５が揃えられると互いに接合する位置に、連結手段としての面ファスナー１０のオス部７とメス部９がそれぞれ縫付けられている。
【００１７】
サンダル３１を玄関等で脱いだ後、バンド３３、３５を内側からつまんで右足用部３と左足用部５を揃える。このとき両足用部３、５のバンド３３、３５にあるそれぞれの面ファスナー１０のオス部７とメス部９が接合し係号して、右足用部３と左足用部５とが連結される。
このサンダル３１は、面ファスナー１０のオス部７、メス部９が、バンド３３、３５に備えられている。従って、サンダル３１を揃える際に、バンド３３、３５を内側からつまむことにより、面ファスナー１０を構成するオス部７とメス部９を直接押圧することになり、面ファスナー１０をより確実に係合させることができる。
サンダル３１においても、面ファスナー１０は前記したとおり連結を解除するために必要な力は些少であるので、サンダル３１を履き、足を一歩踏み出せば容易に連結は解除される。したがって、連結を解除するにあたっての不都合はない。
【００１８】
以上、本発明の実施の形態について記述してきたが、具体的構成はこの実施の形態に限られるものではなく、本発明の要旨を逸脱しない範囲における設計の変更などがあっても本発明に含まれる。
例えば、上記実施の形態では履物としてスニーカー１とサンダル２１、３１を示したが、これに限定されず、ブーツやスリッパ等にも適用される。
また、面ファスナー１０のオス部７とメス部９に縫付けられているラベル１１と１３にはサッカーボールとサッカーボールを蹴る足の図柄とサッカーゴールの図柄を示したが、これに限定されず、パトカーと警察官等の概念的に関連のある図柄でもよい。女児用には人形、小動物等の女児が好む図柄を使用する。
【００１９】
さらに、連結手段として面ファスナー１０の使用を示したが、これに限定されず、マグネット等でもよく、連結手段を備える位置も右足用部と左足用部とを連結させることができれば、どこに配置してもよい。
また、上記実施の形態では、３００ｇｆ程度の力で剥がれる面ファスナー１０を示したが、本発明はこれに限定されず、２００〜８００ｇｆ程度の力で連結を解除できる面ファスナー、マグネット等を履物を使用する子供の年齢等に応じて適宜選択して使用する。
【図面の簡単な説明】
【００２０】
【図１】本発明の第１の実施の形態に係るスニーカーの斜視図である。
【図２】本発明の第１の実施の形態に係るスニーカーの右足用部と左足用部の面ファスナーが縫付けられている部分の拡大図である。
【図３】本発明の第１の実施の形態に係るスニーカーを揃えた状態を示す図である。
【図４】本発明の第２の実施の形態に係るサンダルの斜視図である。
【図５】本発明の第３の実施の形態に係るサンダルの斜視図である。
【符号の説明】
【００２１】
１  スニーカー    ３  右足用部    ５  左足用部
７  オス部    ９  メス部    １０  面ファスナー
１１  ラベル      １３  ラベル    １５  履き口    １７  履き口
２１  サンダル    ２３  ソール    ２４  凹部    ２５  ソール
２６  凹部    ２７  バンド    ２９  バンド    ３１  サンダル
３３  バンド    ３５  バンド
【図１】
2005066077.tif 000003
【図２】
2005066077.tif 000004
【図３】
2005066077.tif 000005
【図４】
2005066077.tif 000006
【図５】
2005066077.tif 000007